(57)【要約】【課題】水中の所定位置にある水を適切に採取できる吸引式採水器を提供することにある。【解決手段】水中に配置し、水を採水する吸引式採水器において、採取した水を蓄える容器１と、容器内を排気し、容器内に水を取り込む開口部２と、開口部を開閉する開閉手段２３、２４とを備え、負圧状態の容器１を水中に配置し、開口部２を開いて容器１内に水を取り込む、吸引式採水器。【選択図】        図１
2004316350.tif 000002
【特許請求の範囲】
【請求項１】
水中に配置し、水を採水する吸引式採水器において、
採取した水を蓄える容器と、
容器内を排気し、容器内に水を取り込む排気兼採水用開口部と、
排気兼採水用開口部を開閉する開閉手段とを備え、
負圧状態の容器を水中に配置し、排気兼採水用開口部を開いて容器内に水を取り込むことを特徴とする、吸引式採水器。
【請求項２】
水中に配置し、水を採水する吸引式採水器において、
採取した水を蓄える容器と、
容器内を排気する排気用開口部と、
容器内に水を取り込む採水用開口部と、
排気用開口部を開閉する排気用開閉手段と、
採水用開口部を開閉する採水用開閉手段とを備えていることを特徴とする、吸引式採水器。
【請求項３】
請求項１に記載の吸引式採水器において、
排気兼採水用開口部に採水管を配置し、
採水管の容器内の端部開口部は、排気兼採水用開口部より離れていることを特徴とする、吸引式採水器。
【請求項４】
請求項２に記載の吸引式採水器において、
採水用開口部に採水管を配置し、
採水管の容器内の端部開口部は、採水用開口部より離れていることを特徴とする、吸引式採水器。
【請求項５】
請求項１又は２に記載の吸引式採水器において、
容器から採水を取り出す回収用開口部と
回収用開口部を開閉する回収用開閉手段とを備えていることを特徴とする、吸引式採水器。
【発明の詳細な説明】
【０００１】
【発明の属する技術分野】
本発明は、水中の水を採水する吸引式採水器に関するものである。
【０００２】
【従来の技術】
従来の採水器ａは、図３に示すように、採水した水を蓄える筒部ｂと、筒部ｂの両端に設けられた開口部ｃ、ｃと、開口部ｃ、ｃを閉じる蓋ｄ、ｄとを備えている。採水する際、まず、採水器ａを水中に配置する。水流により水が開口部ｃから筒部ｂに流れ込む。所定の時間経過後、筒部ｂの両端の蓋ｄ、ｄを閉めて開口部ｃ、ｃを閉じ、筒部ｂに水を閉じ込める。採水器ａを水中から引き上げ、水中の所定の位置の水を採水する。
【０００３】
このような採水器ａでは、水流が遅く、濁度が均質な水中では有効であるが、流れとともに濁度が移動する水中で、かつ、鉛直方向や水平方向に濃度分布があるような水中では、適切な資料を採取することが難しかった。例えば図３に示すように、土砂ｅを水中に投入すると、土砂ｅが地底に堆積すると共に、複雑な水流が発生し、濁水が周囲に広がっていく。その濁水範囲ｆは時間と共に変化する。そのような状態の水中に従来の採水器ａを配置すると、特定の流れの水しか採水器ａに流れ込まないため、適切な資料を採取できず、正確な水質を測定できない恐れがある。
【０００４】
【解決しようとする課題】
＜イ＞本発明は、水中の所定位置にある水を容易に採取できる吸引式採水器を提供することにある。
＜ロ＞また、本発明は、水を取り込む開口部のほぼ全周から採水することができる吸引式採水器を提供することにある。
【０００５】
【課題を解決するための手段】
本発明は、水中に配置し、水を採水する吸引式採水器において、採取した水を蓄える容器と、容器内を排気し、容器内に水を取り込む排気兼採水用開口部と、排気兼採水用開口部を開閉する開閉手段とを備え、負圧状態の容器を水中に配置し、排気兼採水用開口部を開いて容器内に水を取り込むことを特徴とする、吸引式採水器にある。
又は、本発明は、水中に配置し、水を採水する吸引式採水器において、採取した水を蓄える容器と、容器内を排気する排気用開口部と、容器内に水を取り込む採水用開口部と、排気用開口部を開閉する排気用開閉手段と、採水用開口部を開閉する採水用開閉手段とを備えていることを特徴とする、吸引式採水器にある。
又は、本発明は、前記吸引式採水器において、開口部に採水管を配置し、採水管の容器内の端部開口部は、排気兼採水用開口部より離れていることを特徴とする、吸引式採水器にある。
又は、本発明は、前記吸引式採水器において、採水用開口部に採水管を配置し、採水管の容器内の端部開口部は、採水用開口部より離れていることを特徴とする、吸引式採水器にある。
又は、本発明は、前記吸引式採水器において、容器から採水を取り出す回収用開口部と、回収用開口部を開閉する回収用開閉手段とを備えていることを特徴とする、吸引式採水器にある。
【０００６】
【発明の実施の形態】
以下、図面を用いて本発明の実施の形態を説明する。
【０００７】
＜イ＞吸引式採水器
吸引式採水器は、水中で水を取り込むものであり、図１に示すように、採取した水を蓄える容器１と、容器１内を排気し、容器１内に水を取り込む排気兼採水用開口部２と、排気兼採水用開口部２を開閉するバルブなどの排気用開閉手段２３と、蓋などの採水用開閉手段２４を備えている。採水用開閉手段２４は水中で容易に排気兼採水用開口部２を開けられるものが良い。図１（Ａ）の吸引式採水器においては、排気用開閉手段２３は、採水用開閉手段２４を兼ねることもできる
【０００８】
また、吸引式採水器は、図２に示すように、容器１内を排気する排気用開口部２１と、容器１内に水を取り込む採水用開口部２２と、排気用開口部２１を開閉する排気用開閉手段２３と、採水用開口部２２を開閉する採水用開閉手段２４を備えている。採水用開閉手段２４は水中で容易に採水用開口部２を開放できるものが良い。
【０００９】
図１の吸引式採水器においては、排気兼採水用開口部２を通して容器１内部を排気し、排気用開閉手段２３で排気兼採水用開口部２を閉じて容器１内部を真空などの負圧の状態で保持する。吸引式採水器は、負圧状態で水中の所定の位置に移動する。そこで、排気兼採水用開口部２を開いて、負圧の力により、排気兼採水用開口部２を通して容器内に水を吸い込む。この際、排気兼採水用開口部２の全周に存在する水が容器１内に強制的に急激に吸引される。そのため、採取された水は、従来のように水流に依存することなく、吸引式採水器の周辺全体に存在する水を採取することができる。なお、負圧とは、大気圧より小さな値であり、容器内の気体を例えば真空装置で引いた状態である。
【００１０】
図２の吸引式採水器においては、排気用開口部２１を通して排気して容器１内部を真空などの負圧の状態にし、排気用開閉手段２３で排気用開口部２１を閉じる。吸引式採水器を負圧状態にして水中の所定の位置に運び、採水用開口部２４を開いて、容器内に水を吸引する。この際、採水用開口部２４の全周にある水が容器１内に強制的に吸引される。
【００１１】
＜ロ＞容器
容器１は、内部を負圧にしても気体が入り込まないように気密性を有し、また、内部が負圧状態で水中に配置されても水圧に耐える強度を有する必要がある。図１に示す容器１は、内部の気体を排気する開口部と内部に水を取り込む開口部を兼ねる排気兼採水用開口部２を備えている。図１（Ａ）の容器１では、排気兼採水用開口部２から容器１の外方に突出した筒部２６に排気用開閉手段２３と採水用開閉手段２４を備えている。図１（Ｂ）の容器１では、排気兼採水用開口部２から容器１の外方に突出した筒部２６が二股に分かれており、一方に排気用開閉手段２３を、他方に採水用開閉手段２４を備えている。図２の容器１では、排気用開口部２１と採水用開口部２２を別に設けてある。排気用開口部２１から容器１の外方に突出した筒部２７にはバルブなどの排気用開閉手段２３を設ける。採水用開口部２２から容器１の外方に突出した筒部２８には蓋などの採水用開閉手段２４を設ける。容器１は、取り込んだ水を容易に容器１から回収できるように、回収用開口部３を備えていると良い。回収用開口部３には、容器１を密閉できる蓋などの回収用開閉手段３１を有している。容器の形状は、水を取り込めるものなら種々の形状のものを使用でき、例えば、円筒などの筒体であり、筒体の両端に開口部を有し、一端の開口部に筒部２６、２７、又２８が取り付けられ、他方の開口部に蓋などの回収用開閉手段３が開閉自在に取り付けられる。
【００１２】
＜ハ＞採水管
採水管４は、所定の場所で水を取り込んだ後、容器１内に残存している気体が外部に排出され、その代わりに水が容器１内に流れ込まないようにするものである。採水管４は、排気兼採水用開口部２、採水用開口部２２に取り付けられ、水を容器１内に取り込む管であり、容器１内の管の開口端部４１は、排気兼採水用開口部２、採水開口部２２から離れた位置に配置される。容器１をどのような負圧状態にしても、容器１内には空気が残り、採水後に容器内に空気層５が形成される。そのため、採水管４を設けないと、空気層５が採水用開口部２２から容易に排出され、その際、容器１内に水が入り込む恐れがある。そこで、採水管４を配置して、採水管４の開口端部４１を空気層５から離す。そのためには、採水管４の開口端部４１を排気兼採水用開口部２、採水用開口部２２から離す。この構成により、空気が容器１外に排出され難くできる。なお、採水管４と採水用の筒部２６、筒部２８とを一体の管として使用することができる。
【００１３】
以下、図２を用いて採水の施工方法を説明する。
【００１４】
＜イ＞負圧の形成
容器１の排気用開口部２１に真空ポンプを取り付け、図２（Ａ）に示すように、容器１内を排気して、容器１内部を負圧にし、バルブなどで排気用開口部２１を密閉し、容器１内を負圧状態に保持する。その際、採水用開閉手段２４で採水用開口部２２を密閉にしておく。
【００１５】
＜ロ＞採水
負圧状態の容器１を水中の採水する所定の位置に下ろし（図２（Ｂ））、所定の時刻に採水用開閉手段２４を操作して、採水用開口部２２を開く。負圧により、採水用開口部２２の周囲の水が採水管４１を通して、強制的に急激に容器１内に取り込まれる。
【００１６】
＜ハ＞回収
図２（Ｃ）に示すように、容器１内に水を取り込んでも、空気層５が残る。容器１を海上に引き上げる際、採水管４が採水用開口部に取り付けてあるので、容器内の空気層５が外部に排出されることがなく、その結果、容器１内に水が浸入することがない。水上に引き上げたら、回収用開口部３の回収用開閉手段３１を開けて、取り込んだ水を容器１から排出し、資料とする水を回収する。
【００１７】
【本発明の効果】
本発明は、以下の効果を有する。
＜イ＞本発明は、水中の所定位置にある水を容易に採取できる吸引式採水器を提供することができる。
＜ロ＞また、本発明は、水を取り込む開口部のほぼ全周から採水することができる吸引式採水器を提供することができる。
【図面の簡単な説明】
【図１】本発明の吸引式採水器の説明図
【図２】他の吸引式採水器の説明図
【図３】従来の吸引式採水器の説明図
【符号の説明】
１・・・容器
２・・・排気兼採水用開口部
２１・・排気用開口部
２２・・採水用開口部
２３・・排気用開閉手段
２４・・採水用開閉手段
２５・・Ｏリング
３・・・回収用開口部
３１・・回収用開閉手段
４・・・採水管
５・・・空気層
【図１】
2004316350.tif 000003
【図２】
2004316350.tif 000004
【図３】
2004316350.tif 000005